(57)【要約】【課題】安全かつ快適なインターネット接続を可能とする電子機器およびフィルタリング方法を提供する。【解決手段】コンテンツ７へのアクセスの可否の判断基準となるレーティングが、信頼のおけるクローズドネットワーク１００上のウィジェットサーバ２から提供された情報によって特定されたレーティングサーバ３から得られる。そのようにして得られたレーティングに基づいて、ＣＥ機器５からオープンネットワーク２００上のコンテンツ７へのアクセスの可否が決定され、その決定内容であるレーティング結果に応じた表示がブラウザによってなされる。【選択図】図１
2011176484.tif 000002
【特許請求の範囲】
【請求項１】
クローズドネットワーク上のウィジェットサーバと通信するウィジェット部と、
オープンネットワーク上のレーティングサーバと通信するレーティング部と、
オープンネットワーク上のコンテンツにアクセスするブラウザ部と
を備え、
前記ブラウザ部は、オープンネットワーク上のコンテンツのレーティングを前記レーティング部に要求し、その結果取得したレーティング結果に応じた対応を行い、
前記ウィジェット部は、前記ウィジェットサーバから取得した前記レーティングサーバの情報を前記レーティング部に提供し、
前記レーティング部は、前記ウィジェット部から取得した前記レーティングサーバの情報によって特定されたレーティングサーバに対して、前記ブラウザ部からの要求に応じて前記オープンネットワーク上のコンテンツのレーティングを要求し、その結果取得したレーティングに基づいて前記コンテンツへのアクセスの可否を決定し、その決定内容であるレーティング結果を前記ブラウザ部に提供する
電子機器。
【請求項２】
前記ウィジェットサーバは、電子機器がネットワークを介して各種の情報を取得するための複数のソフトウェアと、各ソフトウェアのＵＩ(User Interface)である複数のウィジェットとを有し、前記ソフトウェアの１つとして、レーティングに基づいてオープンネットワーク上のコンテンツへのアクセスの可否を決定するフィルターサービスを提供するフィルタリング・ソフトウェアを有するともに、前記フィルタリング・ソフトウェアのＵＩとしてフィルタリング・ウィジェットを有し、
前記フィルタリング・ウィジェットは、フィルタリング管理用コンテンツと、ネットワークを介して情報を取得する際に使用するサーバの情報とを含む
請求項１に記載の電子機器。
【請求項３】
前記ウィジェット部は、前記フィルタリング・ソフトウェアおよび前記フィルタリング・ウィジェットを前記ウィジェットサーバに要求して取得し、取得したレーティング・ウィジェットに含まれるフィルタリング管理用コンテンツを表示パネルに表示させる
請求項２に記載の電子機器。
【請求項４】
前記レーティングサーバは、レーティング要求を受け付け、レーティングを返す
請求項１に記載の電子機器。
【請求項５】
前記サーバは、前記レーティングサーバと、オープンネットワークに接続された認証サーバおよびコンテンツサーバとを含む
請求項２または請求項３に記載の電子機器。
【請求項６】
前記ウィジェット部は、前記コンテンツサーバの情報を前記ウィジェットサーバに要求し、その結果取得した前記コンテンツサーバの情報を前記ブラウザ部に提供し、
前記ブラウザ部は、前記ウィジェット部から取得した前記コンテンツサーバの情報によって特定されたコンテンツによる当該電子機器への登録を要求する
請求項５に記載の電子機器。
【請求項７】
当該電子機器の設定情報を格納することの可能なメモリ部をさらに備え、
前記ブラウザ部は、前記コンテンツサーバから前記メモリ部への書き込みを許可し、
当該電子機器の登録内容が前記コンテンツによって前記メモリ部に書き込まれる
請求項６に記載の電子機器。
【請求項８】
前記ウィジェット部は、前記コンテンツサーバの情報を前記ウィジェットサーバに要求し、その結果取得した前記コンテンツサーバの情報を前記ブラウザ部に提供し、
前記ブラウザ部は、前記ウィジェット部から取得した前記コンテンツサーバの情報によって特定されたコンテンツによる当該電子機器の解約を要求する
請求項５に記載の電子機器。
【請求項９】
当該電子機器の設定情報を格納することの可能なメモリ部をさらに備え、
前記ブラウザ部は、前記ウィジェット部から取得した前記コンテンツサーバの情報によって特定されたコンテンツから前記メモリ部への書き込みを許可し、
前記メモリ部内の当該電子機器の登録内容が前記コンテンツによって前記メモリ部から削除される
請求項８に記載の電子機器。
【請求項１０】
当該電子機器の設定情報を格納することの可能なメモリ部をさらに備え、
前記レーティング部は、前記ブラウザ部から取得した前記レーティングサーバの情報によって特定されたレーティングサーバに対してレーティングを要求し、その結果、レーティングと共に取得した当該電子機器の登録内容を、前記メモリ部へ書き込む
請求項５に記載の電子機器。
【請求項１１】
オープンネットワーク上のレーティングサーバと通信するレーティング部と、
オープンネットワーク上のコンテンツにアクセスするブラウザ部と
を備え、
前記ブラウザ部は、オープンネットワーク上のコンテンツのレーティングを前記レーティング部に要求し、その結果取得したレーティング結果に応じた対応を行い、さらに、オープンネットワーク上のコンテンツサーバから取得した前記レーティングサーバの情報を前記レーティング部に提供し、
前記レーティング部は、前記ブラウザ部から取得した前記レーティングサーバの情報によって特定されたレーティングサーバに対して、前記ブラウザ部からの要求に応じて前記オープンネットワーク上のコンテンツのレーティングを要求し、その結果取得したレーティングに基づいて前記コンテンツへのアクセスの可否を決定し、その決定内容であるレーティング結果を前記ブラウザ部に提供する
電子機器。
【請求項１２】
クローズドネットワーク上のウィジェットサーバ、またはオープンネットワーク上のコンテンツサーバから取得した情報によって特定された、オープンネットワーク上のレーティングサーバに対して、オープンネットワーク上のコンテンツのレーティングを要求し取得するステップと、
取得したレーティングに基づいて電子機器から前記コンテンツへのアクセスの可否を決定するステップと
を含むフィルタリング方法。
【発明の詳細な説明】
【技術分野】
【０００１】
本発明は、インターネット接続可能な電子機器、およびそのような電子機器におけるフィルタリング方法に関する。また、本発明は、例えば、「青少年が安全に安心してインターネットを利用できる環境の整備等に関する法律」（青少年ネット規制法）に対応したフィルタリング機能を有する電子機器、およびそのような電子機器におけるフィルタリング方法に関する。
【背景技術】
【０００２】
近年、パソコンを始めとする、様々な電子機器がインターネットに接続可能となってきている。それに伴い、インターネット上の様々な脅威についての知識に乏しい人達や、インターネット上の有害情報に触れることが不適当と思われる若年層の人達までもが、気軽にインターネットにアクセスできるようになってきている。その結果、そのよう人達が、例えば、プライバシー情報を第三者に盗まれたり、有害情報に触れて犯罪に手を染めたりするなど、由々しき事態が現実に起こり始めている。
【０００３】
そのような背景の下、青少年ネット規制法が２００９年４月１日に施行された。メーカサイドは、その法律の規定に従って、インターネットに接続可能な電子機器類に、青少年ネット規制法に対応したフィルタリング機能を付加することを求められている。
【０００４】
その対応策の１つとして、例えば、オープンネットワーク上に、インターネット上の安全なサイトのＵＲＬ(Uniform Resource Locator)などが登録されたプロキシサーバを設置し、各電子機器が、そのプロキシサーバを常に経由して、インターネットにアクセスすることが考えられる（非特許文献１参照）。これにより、各電子機器は、プロキシサーバで許可された安全なサイトにしかアクセスできなくなるので、上記のような問題を低減することが可能となる。
【先行技術文献】
【非特許文献】
【０００５】
【非特許文献１】特許第３６５９０５２号公報
【発明の概要】
【発明が解決しようとする課題】
【０００６】
ところで、上記の対応策では、各電子機器が必ず特定のプロキシサーバにアクセスすることが必要となる。そのため、プロキシサーバへのアクセスが集中したり、動画配信などの大容量通信が多くなったりして、プロキシサーバの負荷が重くなると、全ての電子機器の通信速度が大幅に低下する虞がある。また、プロキシサーバがハッカーからの攻撃を受けるなどして、プロキシサーバに不具合が生じると、全ての電子機器がしばらくの間、インターネット接続できなくなってしまう虞もある。このように、上記の対応策では、プロキシサーバがボトルネックとなってしまうという問題があった。
【０００７】
本発明はかかる問題点に鑑みてなされたものであり、その目的は、安全かつ快適なインターネット接続を可能とする電子機器およびフィルタリング方法を提供することにある。
【課題を解決するための手段】
【０００８】
本発明の第１の電子機器は、クローズドネットワーク上のウィジェット(Widget)サーバと通信するウィジェット部と、オープンネットワーク上のレーティングサーバと通信するレーティング部と、オープンネットワーク上のコンテンツにアクセスするブラウザ部とを備えている。ブラウザ部は、オープンネットワーク上のコンテンツのレーティングをレーティング部に要求し、その結果取得したレーティング結果に応じた対応を行うようになっている。ウィジェット部は、ウィジェットサーバから取得したレーティングサーバの情報をレーティング部に提供するようになっている。レーティング部は、ウィジェット部から取得したレーティングサーバの情報によって特定されたレーティングサーバに対してブラウザ部からの要求に応じてサイトのレーティングを要求し、その結果取得したレーティングに基づいて上記コンテンツへのアクセスの可否を決定し、その決定内容であるレーティング結果をブラウザ部に提供するようになっている。
【０００９】
本発明の第２の電子機器は、オープンネットワーク上のレーティングサーバと通信するレーティング部と、オープンネットワーク上のコンテンツにアクセスするブラウザ部とを備えている。ブラウザ部は、オープンネットワーク上のコンテンツのレーティングをレーティング部に要求し、その結果取得したレーティング結果に応じた対応を行うようになっている。ブラウザ部は、さらに、オープンネットワーク上のコンテンツサーバから取得したレーティングサーバの情報をレーティング部に提供するようになっている。レーティング部は、ブラウザ部から取得したレーティングサーバの情報によって特定されたレーティングサーバに対してブラウザ部からの要求に応じてオープンネットワーク上のコンテンツのレーティングを要求し、その結果取得したレーティングに基づいて上記コンテンツへのアクセスの可否を決定し、その決定内容であるレーティング結果をブラウザ部に提供するようになっている。
【００１０】
ここで、クローズドネットワークとは、そのネットワーク独自の通信プロトコルを用いて通信を行うセキュアなネットワークを指している。一方、オープンネットワークとは、インターネットで標準的に利用されている通信プロトコル（ＴＣＰ／ＩＰ）を用いて通信を行うネットワークを指している。また、ウィジェットとは、オープンネットワークへのアクセス機能を備えた機器向けに開発された、ＵＩ(User Interface)の構成要素（ＵＩ部品）群である。レーティングとは、オープンネットワーク上のコンテンツに対して一定の基準に沿ったレベルを付けること、またはそのレベルを指している。あるレベル以上のコンテンツにアクセスできないようにすることをフィルタリングという。レーティング部は、レーティングサーバから取得したレーティングがあるレベル以上である場合にはコンテンツへのアクセスを許可せず、そのレーティングがあるレベル未満である場合にはコンテンツへのアクセスを許可するようになっている。ブラウザ部は、レーティング部での決定内容であるレーティング結果に応じた対応を行うようになっている。つまり、ブラウザ部は、フィルタリング機能を有している。
【００１１】
本発明のフィルタリング方法は、以下の２つのステップを含むものである。
（Ａ）クローズドネットワーク上のウィジェットサーバ、またはオープンネットワーク上のコンテンツサーバから取得した情報によって特定された、オープンネットワーク上のレーティングサーバに対して、オープンネットワーク上のコンテンツのレーティングを要求し取得するステップ
（Ｂ）取得したレーティングに基づいて電子機器から当該コンテンツへのアクセスの可否を決定するステップ
【００１２】
本発明の第１および第２の電子機器ならびにフィルタリング方法では、コンテンツへのアクセスの可否の判断基準となるレーティングが、信頼のおけるクローズドネットワーク上のウィジェットサーバ、またはオープンネットワーク上のコンテンツサーバから提供された情報によって特定されたレーティングサーバから得られる。そのようにして得られたレーティングに基づいて、電子機器からオープンネットワーク上のコンテンツへのアクセスの可否が決定され、その決定内容であるレーティング結果に応じた対応（例えば、表示）がブラウザによってなされる。これにより、電子機器がプロキシサーバなどを介さず直接にオープンネットワーク上のコンテンツへアクセスする場合であっても、電子機器がインターネット上の様々な脅威に曝されたり、インターネット上の有害情報にアクセスしたりする危険性が低くなる。
【００１３】
ここで、本発明の電子機器およびフィルタリング方法において、ウィジェットサーバは、例えば、電子機器がネットワークを介して各種の情報を取得するための複数のソフトウェアと、各ソフトウェアのＵＩである複数のウィジェットとを有している。ウィジェットサーバは、例えば、上述のソフトウェアの１つとして、レーティングに基づいてオープンネットワーク上のコンテンツへのアクセスの可否を決定するフィルターサービスを提供するフィルタリング・ソフトウェアを有している。ウィジェットサーバは、例えば、フィルタリング・ソフトウェアのＵＩとしてフィルタリング・ウィジェットを有している。ここで、フィルタリング・ウィジェットは、例えば、ネットワークを介して情報を取得する際に使用するフィルタリング管理用コンテンツおよびサーバの情報を含んでいる。
【００１４】
また、本発明の電子機器において、ウィジェット部は、例えば、フィルタリング・ソフトウェアおよびフィルタリング・ウィジェットをウィジェットサーバに要求して取得するようになっている。さらに、ウィジェット部は、例えば、取得したレーティング・ウィジェットに含まれるフィルタリング管理用コンテンツを表示パネルに表示させるようになっている。
【発明の効果】
【００１５】
本発明の電子機器およびフィルタリング方法によれば、オープンネットワーク上のコンテンツへ直接にアクセスする電子機器がインターネット上の様々な脅威に曝されたり有害情報にアクセスしたりする危険性を低減できるようにした。これにより、安全かつ快適なインターネット接続を実現することができる。
【図面の簡単な説明】
【００１６】
【図１】本発明の一実施の形態に係る画像表示システムの構成例を示すブロック図である。
【図２】図１のウィジェットサーバ内に格納されているデータの一例を示す図である。
【図３】ＣＥ機器で使用されるソフトウェアの一例を示す図である。
【図４】図３のフィルタリング管理用コンテンツの一例を示す図である。
【図５】図１のＣＥ機器の構成例を示すブロック図である。
【図６】フィルターサービスの提供者とＣＥ機器との間の契約を行う手順を示す流れ図である。
【図７】フィルターサービスの提供者とＣＥ機器との間の解約を行う手順を示す流れ図である。
【図８】ＣＥ機器がインターネット上のあるコンテンツにアクセスするにあたって、レーティングを行う手順の一例を示す流れ図である。
【図９】認証サーバ上の登録内容と、ＣＥ機器内の登録内容との整合をとる手順を示す流れ図である。
【図１０】ＣＥ機器がインターネット上のあるコンテンツにアクセスするにあたって、レーティングを行う手順の他の例を示す流れ図である。
【発明を実施するための形態】
【００１７】
以下、発明を実施するための形態について、図面を参照して詳細に説明する。なお、説明は以下の順序で行う。
１．実施の形態
システム構成
フィルタリング・ソフトウェア
フィルターサービス
効果
２．変形例
【００１８】
＜実施の形態＞
[システム構成]
図１は、本発明の一実施の形態に係る画像表示システム１の構成例を示すブロック図である。画像表示システム１は、クローズドネットワーク１００に接続されたウィジェット(Widget)サーバ２と、オープンネットワーク２００に接続されたレーティングサーバ３および認証サーバ４と、コンテンツサーバ６とを備えている。この画像表示システム１は、さらに、クローズドネットワーク１００およびオープンネットワーク２００の双方に接続されるＣＥ(Consumer Electronics)機器５を備えている。オープンネットワーク２００には、必要に応じて、パソコンや携帯情報端末などの情報処理装置８が接続される。なお、本実施の形態において、レーティングサーバ３、認証サーバ４およびコンテンツサーバ６が本発明の「サーバ」の一具体例に相当し、ＣＥ機器５が本発明の「電子機器」の一具体例に相当する。
【００１９】
ここで、クローズドネットワーク１００とは、そのネットワーク独自の通信プロトコルを用いて通信を行うセキュアなネットワークを指している。一方、オープンネットワーク２００とは、インターネットで標準的に利用されている通信プロトコル（ＴＣＰ／ＩＰ）を用いて通信を行うネットワークを指している。
【００２０】
ウィジェットサーバ２は、ＣＥ機器５がネットワークを介して各種の情報を取得するための複数のソフトウェアと、ネットワークへのアクセス機能を備えた機器向けに開発された、ＵＩの構成要素（ＵＩ部品）群である複数のウィジェットとを有している。ウィジェットサーバ２は、ＣＥ機器５（例えば、後述のメモリ５Ｍ内の制御ソフトウェア）からの要求に応じて、上記のソフトウェアおよびウィジェットをＣＥ機器５に提供するようになっている。
【００２１】
ここで、「各種の情報」には、典型的には、放送中の番組に関する関連情報、天気情報、占いの情報などが含まれているが、本実施の形態では、それらの他に、フィルタリングに関する情報が含まれている。「ウィジェット」は、上記のソフトウェアのＵＩとして用いられるものであり、例えば、オープンネットワーク２００を介して情報を取得する際に用いるコンテンツおよびサーバの情報を含んでいる。「ウィジェット」に含まれるコンテンツとしては、例えば、図２に示したような各種のアイコン画像や、各アイコン画像を選択したときに表示される画面に含まれるテキストおよび画像（図示せず）を含んで構成されている。なお、上記の「サーバ」とは、オープンネットワーク２００上の、信頼の置けるサーバを指しており、例えば、レーティングサーバ３、認証サーバ４、またはコンテンツサーバ６などの特定のサーバを指している。また、上記の「サーバの情報」は、例えば、コンテンツのＵＲＬである。なお、上記の「サーバの情報」には、例えば、レーティングサーバ３のＵＲＬなどが含まれている場合もある。
【００２２】
ウィジェットサーバ２は、上記のソフトウェアの１つとして、オープンネットワーク２００を介してフィルタリングに関する情報を取得するフィルタリング・ソフトウェア２Ａ（図３参照）を有している。フィルタリング・ソフトウェア２Ａは、レーティングサーバ３から取得したレーティングに基づいてオープンネットワーク２００上のコンテンツ７へのアクセスの可否を決定するフィルターサービスを提供するものである。フィルタリング・ソフトウェア２Ａは、例えば、ウィジェット・アプリケーション２Ａ−１と、レーティング・アプリケーション２Ａ−２とを含んでいる。コンテンツ７は、例えば、オープンネットワーク２００上でアクセス可能な多数のコンテンツの中の一のコンテンツである。なお、ウィジェット・アプリケーション２Ａ−１が本発明の「ウィジェット部」の一具体例に相当し、レーティング・アプリケーション２Ａ−２が本発明の「レーティング部」の一具体例に相当する。
【００２３】
ここで、「レーティング」とは、オープンネットワーク２００上のコンテンツ７に対して一定の基準に沿ったレベルを付けること、またはそのレベルを指している。「フィルタリング」とは、あるレベル以上のコンテンツ７にアクセスできないようにすることを指している。フィルタリング・ソフトウェア２Ａは、レーティングサーバ３から取得したレーティングがあるレベル以上である場合には、そのコンテンツ７へのアクセスを許可しないようになっている。フィルタリング・ソフトウェア２Ａは、レーティングがあるレベル未満である場合には、そのコンテンツ７へのアクセスを許可するようになっている。つまり、フィルタリング・ソフトウェア２Ａは、フィルタリング機能を有している。
【００２４】
さらに、ウィジェットサーバ２は、フィルタリング・ソフトウェア２ＡのＵＩとしてフィルタリング・ウィジェット２Ｂ（図３参照）を有している。フィルタリング・ウィジェット２Ｂは、例えば、オープンネットワーク２００を介してフィルターサービスの契約、解約、または契約内容の変更を行う際に使用するデータを含んでいる。そのようなデータとしては、例えば、フィルタリング管理用コンテンツ２Ｂ−１や、サーバ情報２Ｂ−２などが挙げられる。フィルタリング管理用コンテンツ２Ｂ−１は、例えば、フィルターサービスについてのアイコン画像（図示せず）や、例えば、図４に示したようなフィルターサービスの申し込み画面に含まれるテキストおよび画像を含んで構成されている。なお、図４には、例えば、フィルタリング機能のオン画像およびオフ画像、サービス契約情報などが申し込み画面に表示されている場合が例示されている。サーバ情報２Ｂ−２は、例えば、認証サーバ４の情報（例えば、認証サーバ４のＵＲＬ）や、レーティングサーバ３の情報（例えば、レーティングサーバ３のＵＲＬ）、コンテンツサーバ６の情報（例えば、コンテンツサーバ３のＵＲＬ）などを含んで構成されている。例えば、図４中の「フィルターサービス申し込み」の画像がユーザによって選択されたときに利用されるコンテンツサーバ６の情報がサーバ情報２Ｂ−２の１つとして含まれている。
【００２５】
ウィジェット・アプリケーション２Ａ−１は、例えば、フィルターサービスについてのアイコン画像をユーザが選択することにより、図４に示したフィルターサービスの申し込み画面を表示するようになっている。また、ウィジェット・アプリケーション２Ａ−１は、例えば、図４に示したフィルターサービスの申し込み画面において「フィルターサービス申し込み」の欄をユーザが選択するにより、コンテンツサーバ６のＵＲＬへ遷移するように後述のブラウザ５Ｕに要求するようになっている。なお、ウィジェット・アプリケーション２Ａ−１およびレーティング・アプリケーション２Ａ−２の詳細については、後に詳述する。
【００２６】
レーティングサーバ３は、例えば、オープンネットワーク２００上の各コンテンツ７のＵＲＬと、各コンテンツ７に対して付したレベル（レーティング）とを関係付けたデータベースを有している。レーティングサーバ３は、例えば、ＣＥ機器５からのレーティング要求を受け付け、レーティングをＣＥ機器５に返すようになっている。ここで、各コンテンツ７のレーティングは、例えば、カテゴリごとに設定されている。カテゴリの種類としては、例えば、プライバシー情報を盗み出す詐欺コンテンツ、違法な情報を含む違法コンテンツ、他人への中傷を含む中傷コンテンツ、これらのいずれにも該当しない安全コンテンツなどがある。
【００２７】
コンテンツサーバ６は、フィルターサービスの提供者（図示せず）とＣＥ機器５（もしくはユーザ）との間の契約または解約を行ったり、契約内容（例えば、フィルタすべきカテゴリなど）を変更したりするためのコンテンツによって、認証サーバ４の契約内容を変更するプロトコルを有している。また、コンテンツサーバ６は、ブラウザ上で、契約、解約、および契約内容の変更を行う際に必要となるＵＩを有している。
【００２８】
認証サーバ４は、フィルターサービスの提供者とＣＥ機器５（もしくはユーザ）との間の契約内容を保管している。認証サーバ４は、コンテンツサーバ６またはレーティングサーバ３からの要求に応じて、契約、解約、または契約内容の変更を行う際に必要となるプロトコルを提供するようになっている。
【００２９】
次に、ＣＥ機器５について説明する。図５は、ＣＥ機器５の構成例を示すブロック図である。ＣＥ機器５は、例えば、インターネットに接続可能なテレビジョンである。ＣＥ機器５は、例えば、アンテナ端子５Ａ、デジタルチューナ５Ｂ、デマルチプレクサ５Ｃ、ＭＰＥＧデコーダ５Ｄ、映像信号処理回路５Ｅ、グラフィック生成回路５Ｆ、パネル駆動部５Ｇ、および表示パネル５Ｈを有している。ＣＥ機器５は、また、例えば、音声信号処理回路５Ｉ、音声増幅回路５Ｊ、およびスピーカ５Ｋを有している。ＣＥ機器５は、さらに、例えば、内部バス５Ｌ、メモリ５Ｍ、演算回路５Ｎ、ネットワーク・インターフェース５Ｐ、ネットワーク端子５Ｑ、ＭＰＥＧレコーダ５Ｑ、リモコン受信回路５Ｓ、およびリモコン送信機５Ｔを有している。なお、図５に示した一点鎖線は、例えば、ＣＥ機器５の本体部分を指しており、リモコン送信機５ＴがＣＥ機器５の本体部分とは別体で設けられていることを示している。
【００３０】
アンテナ端子５Ａは、受信アンテナ（図示せず）で受信されたテレビ放送信号を入力する端子である。デジタルチューナ５Ｂは、例えば、アンテナ端子５Ａに入力されたテレビ放送信号を処理して、ユーザの選択チャネルに対応した所定のトランスポートストリームを出力するようになっている。デマルチプレクサ５Ｃは、例えば、デジタルチューナ５Ｂで得られたトランスポートストリームから、ユーザの選択チャネルに対応したパーシャルＴＳ（Transport Stream）を抽出するようになっている。
【００３１】
ＭＰＥＧデコーダ５Ｄは、例えば、デマルチプレクサ５Ｃで得られたパーシャルＴＳに含まれる映像ＰＥＳ(Packetized Elementary Stream)パケットに対してデコード処理を行うことにより映像データを得るようになっている。ＭＰＥＧデコーダ５Ｄは、また、例えば、デマルチプレクサ５Ｃで得られたパーシャルＴＳに含まれる音声ＰＥＳパケットに対してデコード処理を行うことにより音声データを得るようになっている。
【００３２】
映像信号処理回路５Ｅおよびグラフィック生成回路５Ｆは、例えば、ＭＰＥＧデコーダ５ＤおよびＭＰＥＧデコーダ５Ｒで得られた映像データに対して、必要に応じてマルチ画像処理、グラフィックスデータの重畳処理等を行うようになっている。グラフィック生成回路５Ｆは、例えば、フィルタリング・ウィジェット２Ｂの表示画像等のＵＩ画面を生成するようになっている。パネル駆動回路５Ｇは、例えば、グラフィック生成回路５Ｆから出力された映像データに基づいて表示パネル５Ｈを駆動するようになっている。
【００３３】
表示パネル５Ｈは、例えば、ＬＣＤ（Liquid Crystal Display）、有機ＥＬ(Electro Luminescence)表示パネル、またはＰＤＰ（Plasma Display Panel）等で構成されている。音声信号処理回路５Ｉは、例えば、ＭＰＥＧデコーダ５ＤおよびＭＰＥＧデコーダ５Ｒで得られた音声データに対してＤ／Ａ変換等の処理を行うようになっている。音声増幅回路５Ｊは、例えば、音声信号処理回路５Ｉから出力された音声信号を増幅してスピーカ５Ｋに供給するようになっている。
【００３４】
メモリ５Ｍは、例えば、ＣＥ機器５の設定情報の格納、各種ソフトウェアおよびウィジェットの格納、およびデータ管理を行うものである。メモリ５Ｍは、例えば、ＣＥ機器５を制御する制御ソフトウェアと、この制御ソフトウェアの実行に際して使用するデータとを格納するフラッシュＲＯＭ（Read Only Memory）（図示せず）を含んでいる。メモリ５Ｍは、また、例えば、各種ソフトウェアのワークエリアを構成するＤＲＡＭ（Dynamic Random Access Memory) （図示せず）を含んでいる。メモリ５Ｍは、さらに、例えば、種々のアプリケーションを格納するＨＤＤ（Hard Disk Drive）（図示せず）を含んでいる。そのようなアプリケーションとして、例えば、オープンネットワーク２００上のコンテンツ７にアクセスするブラウザ５Ｕ（図３参照）がＨＤＤに標準で格納されている。なお、ブラウザ５Ｕが本発明の「ブラウザ部」の一具体例に相当する。
【００３５】
ＨＤＤには、その他に、例えば、ウィジェットサーバ２からダウンロードしたソフトウェアおよびウィジェットや、オープンネットワーク２００上の各コンテンツ７からダウンロードしたコンテンツなども蓄積されている場合がある。ウィジェットサーバ２からダウンロードしたソフトウェアおよびウィジェットには、例えば、フィルタリング・ソフトウェア２Ａおよびフィルタリング・ウィジェット２Ｂが含まれている。
【００３６】
演算回路５Ｎは、ＣＥ機器５の各部の動作を制御するものであり、例えば、メモリ５ＭのＨＤＤから読み出したソフトウェアおよびウィジェットをメモリ５Ｍのワークエリアに展開してソフトウェアを起動させ、ＣＥ機器５の各部を制御するようになっている。なお、フィルタリング・ソフトウェア２Ａの実行によるＣＥ機器５の各部の動作については、後に詳述するものとする。
【００３７】
ネットワーク端子５Ｑは、例えば、ネットワーク（クローズドネットワーク１００、オープンネットワーク２００）に接続する端子であり、ネットワーク・インターフェース５Ｐに接続されている。ネットワーク・インターフェース５Ｐは、例えば、ＬＡＮ(Local Area Network)の規格の一種であるイーサネット（登録商標）に従って他者（サーバ、情報処理装置など）と通信を行うものである。なお、イーサネット（登録商標）は、富士ゼロックス株式会社の登録商標である。ネットワーク・インターフェース５Ｐは、例えば、演算回路５Ｎ、メモリ５ＭおよびＭＰＥＧデコーダ５Ｒとともに、内部バス５Ｌに接続されている。
【００３８】
ＭＰＥＧデコーダ５Ｒは、例えば、ネットワーク端子５Ｑからネットワーク・インターフェース５Ｐを介して得られたコンテンツデータに含まれる映像ＰＥＳパケットに対してデコード処理を行うことにより映像データを得るようになっている。ＭＰＥＧデコーダ５Ｒは、また、例えば、ネットワーク端子５Ｑからネットワーク・インターフェース５Ｐを介して得られたコンテンツデータに含まれる音声ＰＥＳパケットに対してデコード処理を行うことにより音声データを得るようになっている。
【００３９】
リモコン受信回路５Ｓは、例えば、リモコン送信機５Ｔから送信されたリモートコントロール信号を受信し、演算回路５Ｎに供給するようになっている。演算回路５Ｎは、例えば、リモートコントロール信号に従ってＣＥ機器５の各部を制御するようになっている。
【００４０】
［フィルタリング・ソフトウェア］
次に、フィルタリング・ソフトウェア２Ａについて説明する。上述したように、フィルタリング・ソフトウェア２Ａは、例えば、図３に示したように、ウィジェット・アプリケーション２Ａ−１と、レーティング・アプリケーション２Ａ−２とを含んでいる。
【００４１】
ウィジェット・アプリケーション２Ａ−１は、クローズドネットワーク１００上のウィジェットサーバ２と通信する機能を有している。具体的には、ウィジェット・アプリケーション２Ａ−１は、サーバ情報２Ｂ−２（例えば、レーティングサーバ３、認証サーバ４またはコンテンツサーバ６のＵＲＬ）をウィジェットサーバ２に要求して取得することが可能となっている。また、ウィジェット・アプリケーション２Ａ−１は、ＣＥ機器５がネットワークを介して各種の情報を取得するための複数のソフトウェアと、ネットワークへのアクセス機能を備えた機器向けに開発された、ＵＩの構成要素（ＵＩ部品）群である複数のウィジェットとをウィジェットサーバ２に要求して取得することが可能となっている。
【００４２】
ウィジェット・アプリケーション２Ａ−１は、上記のソフトウェアの１つとして、オープンネットワーク２００を介してフィルタリングに関する情報を取得するフィルタリング・ソフトウェア２Ａをウィジェットサーバ２に要求して取得することが可能となっている。また、ウィジェット・アプリケーション２Ａ−１は、フィルタリング・ソフトウェア２ＡのＵＩとしてのフィルタリング・ウィジェット２Ｂをウィジェットサーバ２に要求して取得することが可能となっている。また、ウィジェット・アプリケーション２Ａ−１は、ブラウザ５Ｕから取得した登録内容（ユーザ情報）の登録をウィジェットサーバ２に要求することが可能となっている。
【００４３】
ウィジェット・アプリケーション２Ａ−１は、また、レーティング・アプリケーション２Ａ−２およびブラウザ５Ｕと通信する機能も有している。具体的には、ウィジェット・アプリケーション２Ａ−１は、ウィジェットサーバ２から取得したレーティングサーバ３の情報（レーティングサーバ３のＵＲＬ）をレーティング・アプリケーション２Ａ−２に提供することが可能となっている。また、ウィジェット・アプリケーション２Ａ−１は、ウィジェットサーバ２から取得したコンテンツサーバ６の情報（コンテンツサーバ６のＵＲＬ）をブラウザ５Ｕに提供することが可能となっている。
【００４４】
ウィジェット・アプリケーション２Ａ−１は、さらに、ウィジェットサーバ２から取得したウィジェットに含まれるコンテンツを表示パネル５Ｈに表示させる機能も有している。ウィジェット・アプリケーション２Ａ−１は、例えば、図２に示したような各種のアイコン画像や、例えば、図４に示したような、フィルターサービスのアイコン画像を選択したときに表示される画面を表示パネル５Ｈに表示させることが可能となっている。
【００４５】
レーティング・アプリケーション２Ａ−２は、オープンネットワーク２００上のレーティングサーバ３と通信する機能を有している。具体的には、レーティング・アプリケーション２Ａ−２は、ブラウザ５Ｕから要求された、オープンネットワーク２００上のコンテンツ７のレーティングをレーティングサーバ３に要求して取得することが可能となっている。レーティング・アプリケーション２Ａ−２は、また、取得したレーティングに基づいて、そのコンテンツ７へのアクセスの可否を決定する機能も有している。具体的には、レーティング・アプリケーション２Ａ−２は、取得したレーティングがあるレベル以上である場合には、そのコンテンツ７へのアクセスは「不許可」であると決定するようになっている。また、レーティング・アプリケーション２Ａ−２は、取得したレーティングがあるレベル未満である場合には、そのコンテンツ７へのアクセスは「許可」であると決定するようになっている。
【００４６】
レーティング・アプリケーション２Ａ−２は、ウィジェット・アプリケーション２Ａ−１およびブラウザ５Ｕと通信する機能も有している。具体的には、レーティング・アプリケーション２Ａ−２は、レーティングサーバ３の情報（レーティングサーバ３のＵＲＬ）をウィジェット・アプリケーション２Ａ−１に要求して取得することが可能となっている。また、レーティング・アプリケーション２Ａ−２は、アクセスの可否の決定内容であるレーティング結果をブラウザ５Ｕに提供することが可能となっている。
【００４７】
[フィルターサービス]
次に、図６〜図９を参照して、フィルターサービスについて説明する。図６〜図９は、フィルターサービスにおける各種手続きの手順の一例を表すものである。図６は、フィルターサービスを受けるにあたって、そのサービスの提供者（図示せず）とＣＥ機器５との間の契約を行う手順の一例を示している。図７は、フィルターサービスの提供者（図示せず）とＣＥ機器５との間の解約を行う手順の一例を示している。図８は、フィルターサービスの提供者とＣＥ機器５との間の契約が有効となっているときに、ＣＥ機器５がオープンネットワーク２００上のあるコンテンツ７にアクセスするにあたってレーティングを行う手順の一例を示している。図９は、フィルターサービスの提供者とＣＥ機器５との間の契約内容の変更がオープンネットワーク２００上の情報処理装置８によってなされた後に、認証サーバ４上の登録内容と、ウィジェットサーバ２上の登録内容との整合をとる手順の一例を示している。
【００４８】
（契約、図６）
まず、フィルターサービスについてのアイコン画像がユーザによって選択される。すると、ウィジェット・アプリケーション２Ａ−１は、図４に示したフィルターサービスの申し込み画面の映像データを映像信号処理回路５Ｅに入力し、表示パネル５Ｈに表示させる。続いて、図４に示したフィルターサービスの申し込み画面において「フィルターサービス申し込み」の欄がユーザによって選択される。すると、ウィジェット・アプリケーション２Ａ−１は、ウィジェットサーバ２にサーバ情報２Ｂ−２（例えば、コンテンツサーバ３のＵＲＬ）を要求し（ステップ１）、ウィジェットサーバ２からサーバ情報２Ｂ−２を取得する（ステップ２）。
【００４９】
なお、ウィジェット・アプリケーション２Ａ−１は、あらかじめ、ウィジェットサーバ２にサーバ情報２Ｂ−２（例えば、コンテンツサーバ３のＵＲＬ）を要求して、ウィジェットサーバ２からサーバ情報２Ｂ−２を取得しておいてもよい。ただし、その場合には、ウィジェットサーバ２は、取得したサーバ情報２Ｂ−２をメモリ５Ｍに格納しておき、ユーザからの要求を受けたときに、サーバ情報２Ｂ−２をメモリ５Ｍから読み出せばよい。
【００５０】
ウィジェット・アプリケーション２Ａ−１は、取得したサーバ情報２Ｂ−２をブラウザ５Ｕに提供する（ステップ３）。ブラウザ５Ｕは、入力されたサーバ情報２Ｂ−２の送信元がウィジェット・アプリケーション２Ａ−１であることを確認し、データの信頼性を保証したのち、そのサーバ情報２Ｂ−２によって特定されたコンテンツからＣＥ機器５のメモリ５Ｍ内のリソースへの書き込みを許可する。続いて、ブラウザ５Ｕは、そのコンテンツにアクセスし、認証サーバ４へのＣＥ機器５の登録を要求する（ステップ４）。すると、そのコンテンツのページ上に記述された特別なスクリプトは、認証サーバ４に、認証サーバ４へＣＥ機器５の登録を要求し、認証サーバ４にＣＥ機器５の登録内容を書き込む（ステップ５）。さらに、このスクリプトは、ＣＥ機器５のメモリ５Ｍ内のリソースへの書き込みを許可されていると解釈し、ＣＥ機器５のメモリ５Ｍ内のリソースへの書き込みをＣＥ機器５に要求すると同時に実行する（ステップ６）。
【００５１】
このとき、このスクリプトは、ＣＥ機器５のメモリ５Ｍ内のリソースに、ＣＥ機器５の登録内容に対応する対応情報をＣＥ機器５の設定情報として書き込む。ＣＥ機器５の登録内容には、例えば、上記のスクリプトがＣＥ機器５（またはユーザ）ごとに設定したＩＤ（固有番号）などが含まれる。ＣＥ機器５に書き込まれる対応情報は、認証サーバ４に書き込まれる登録内容と同一であってもよいし、認証サーバ４に書き込まれる登録内容を簡素化したり暗号化したりしたものであってもよい。
【００５２】
その後、レーティング・アプリケーション２Ａ−２は、上記スクリプトによる、メモリ５Ｍ内のリソースへの書き込みが完了すると、認証サーバ４に、ＣＥ機器５（またはユーザ）の認証を要求し（ステップ７）、認証サーバ４から認証結果を取得する（ステップ８）。
【００５３】
（解約、図７）
解約のプロセスは、上述の契約のプロセスと概ね同様である。まず、フィルターサービスについてのアイコン画像がユーザによって選択される。すると、ウィジェット・アプリケーション２Ａ−１は、図示しないフィルター設定の画面の映像データを映像信号処理回路５Ｅに入力し、表示パネル５Ｈに表示させる。続いて、図示しないフィルター設定の画面において「各種お手続き」の欄がユーザによって選択される。すると、ウィジェット・アプリケーション２Ａ−１は、ウィジェットサーバ２にサーバ情報２Ｂ−２（例えば、コンテンツサーバ３のＵＲＬ）を要求し（ステップ１）、ウィジェットサーバ２からサーバ情報２Ｂ−２を取得する（ステップ２）。
【００５４】
なお、ウィジェット・アプリケーション２Ａ−１は、あらかじめ、ウィジェットサーバ２にサーバ情報２Ｂ−２（例えば、コンテンツサーバ３のＵＲＬ）を要求して、ウィジェットサーバ２からサーバ情報２Ｂ−２を取得しておいてもよい。ただし、その場合には、ウィジェットサーバ２は、取得したサーバ情報２Ｂ−２をメモリ５Ｍに格納しておき、ユーザからの要求を受けたときに、サーバ情報２Ｂ−２をメモリ５Ｍから読み出せばよい。
【００５５】
ウィジェット・アプリケーション２Ａ−１は、取得したサーバ情報２Ｂ−２をブラウザ５Ｕに提供する（ステップ３）。ブラウザ５Ｕは、入力されたサーバ情報２Ｂ−２の送信元がウィジェット・アプリケーション２Ａ−１であることを確認し、データの信頼性を保証したのち、そのサーバ情報２Ｂ−２によって特定されたコンテンツからＣＥ機器５のメモリ５Ｍ内のリソースへの書き込みを許可する。続いて、ブラウザ５Ｕは、そのコンテンツにアクセスし、認証サーバ４に登録されたＣＥ機器５の登録内容の削除を要求する。すると、そのコンテンツのページ上に記述された特別なスクリプトは、認証サーバ４に、登録されたＣＥ機器５の登録内容の削除を要求し（ステップ４）、認証サーバ４に登録されたＣＥ機器５の登録内容を削除する（ステップ５）。さらに、このスクリプトは、ＣＥ機器５のメモリ５Ｍ内のリソースへの書き込みを許可されていると解釈し、ＣＥ機器５のメモリ５Ｍ内のリソースへの書き込みをＣＥ機器５に要求すると同時に実行する。
【００５６】
このとき、このスクリプトは、ＣＥ機器５のメモリ５Ｍ内のリソースに格納されている、ＣＥ機器５の登録内容に対応する対応情報をメモリ５Ｍから削除する。
【００５７】
その後、レーティング・アプリケーション２Ａ−２は、上記スクリプトによる、メモリ５Ｍ内のリソースへの書き込み（削除）が完了すると、認証サーバ４に、ＣＥ機器５（またはユーザ）の認証を要求し（ステップ７）、認証サーバ４から認証結果を取得する（ステップ８）。
【００５８】
（レーティング、図８）
まず、ウィジェット・アプリケーション２Ａ−１は、サーバ情報２Ｂ−２（レーティングサーバ３のＵＲＬ）をウィジェットサーバ２に要求する（ステップ１）。その結果、ウィジェット・アプリケーション２Ａ−１は、ウィジェットサーバ２からサーバ情報２Ｂ−２（レーティングサーバ３のＵＲＬ）を取得する（ステップ２）。次に、ウィジェット・アプリケーション２Ａ−１は、取得したサーバ情報２Ｂ−２（レーティングサーバ３のＵＲＬ）をレーティング・アプリケーション２Ａ−２に提供する（ステップ３）。
【００５９】
その後、表示パネル５Ｈに表示された、あるアイコン画像がユーザによって選択される。すると、ブラウザ５Ｕは、そのアイコン画像に対応するオープンネットワーク２００上のコンテンツ７のレーティングをレーティング・アプリケーション２Ａ−２に要求する（ステップ４）。レーティング・アプリケーション２Ａ−２は、ウィジェット・アプリケーション２Ａ−１から取得した情報（レーティングサーバ３のＵＲＬ）によって特定されたレーティングサーバ３に対して、ブラウザ５Ｕからのレーティング要求に応じて、そのコンテンツ７のレーティングを要求する（ステップ５）。レーティング・アプリケーション２Ａ−２は、そのコンテンツ７のレーティングをレーティングサーバ３から取得すると（ステップ６）、取得したレーティングに基づいてそのコンテンツ７へのアクセスの可否を決定する。レーティング・アプリケーション２Ａ−２は、その決定結果であるレーティング結果をブラウザ５Ｕに提供する（ステップ７）。ブラウザ５Ｕは、そのレーティング結果に応じた対応（例えば表示）を行う。
【００６０】
なお、レーティング・アプリケーション２Ａ−２は、ブラウザ５Ｕからのレーティング要求に応じて、ウィジェット・アプリケーション２Ａ−１に対してサーバ情報２Ｂ−２を要求するようにしてもよい。また、レーティング・アプリケーション２Ａ−２は、ウィジェット・アプリケーション２Ａ−１から取得したサーバ情報２Ｂ−２を一旦、メモリ５Ｍに格納しておいてもよい。この場合は、レーティング・アプリケーション２Ａ−２は、ブラウザ５Ｕからのレーティング要求に応じて、メモリ５Ｍからサーバ情報２Ｂ−２を読み出し、読み出したサーバ情報２Ｂ−２を用いてレーティングサーバ３にアクセスするようにしてもよい。
【００６１】
（整合、図９）
まず、情報処理装置８が、コンテンツサーバ３のコンテンツにアクセスし、フィルターサービスの契約、解約、または契約内容の変更を行う（ステップ１）。例えば、情報処理装置８は、コンテンツサーバ３のコンテンツにアクセスし、認証サーバ４に対して、ＣＥ機器５の登録、認証サーバ４に登録されたＣＥ機器５の登録内容の削除、または認証サーバ４に登録されたＣＥ機器５の登録内容の変更を要求する。すると、そのコンテンツのページ上に記述された特別なスクリプトは、認証サーバ４に、認証サーバ４へ、ＣＥ機器５の登録、認証サーバ４に登録されたＣＥ機器５の登録内容の削除、または認証サーバ４に登録されたＣＥ機器５の登録内容の変更を要求し、認証サーバ４に、ＣＥ機器５の登録内容を書き込むか、認証サーバ４に登録されたＣＥ機器５の登録内容を削除するか、または、認証サーバ４に登録されたＣＥ機器５の登録内容を変更する（ステップ２）。
【００６２】
認証サーバ４は、このときに、ＣＥ機器５およびウィジェットサーバ２に対して、認証サーバ４内の登録内容に変更があったことを通知しない。それは、ＣＥ機器５はネットワークに常時接続されているとは限らず、また、ウィジェットサーバ２は独自の通信プロトコルを使用しており、認証サーバ４とウィジェットサーバ２との間で通信できない、という事情があるからである。従って、この段階では、ＣＥ機器５およびウィジェットサーバ２は、認証サーバ４内の登録内容に変更があったことを認識していない。そのため、認証サーバ４内の登録内容と、ＣＥ機器５内の設定情報およびウィジェットサーバ２内の登録内容との間に、不整合が生じている。
【００６３】
また、認証サーバ４は、ステップ２の後に、レーティングサーバ３に対して、認証サーバ４内の登録内容に変更があったことを通知してもよいし、しなくてもよい。以下では、認証サーバ４が、ステップ２の後に、レーティングサーバ３に対して、認証サーバ４内の登録内容に変更があったことを通知しないものとして、説明を行う。
【００６４】
その後、表示パネル５Ｈに表示された、あるアイコン画像がユーザによって選択される。すると、ブラウザ５Ｕは、そのアイコン画像に対応するオープンネットワーク２００上のコンテンツ７のレーティングをレーティング・アプリケーション２Ａ−２に要求する（ステップ３）。レーティング・アプリケーション２Ａ−２は、ウィジェット・アプリケーション２Ａ−１から取得したＵＲＬによって特定されたレーティングサーバ３に対して、ブラウザ５Ｕからのレーティング要求に応じて、そのコンテンツ７のレーティングを要求する（ステップ４）。
【００６５】
このとき、レーティングサーバ３は、認証サーバ４内の登録内容の変更の有無を確認するために、認証サーバ４に対して、認証サーバ４内の登録内容の確認を要求し（ステップ５）、認証サーバ４内の登録内容を認証サーバ４から取得する（ステップ６）。レーティングサーバ３は、レーティング・アプリケーション２Ａ−２に対して、レーティングを返すとともに、認証サーバ４から取得した認証サーバ４内の登録内容を含む変更通知をＣＥ機器５に送る。
【００６６】
レーティング・アプリケーション２Ａ−２は、コンテンツ７のレーティングをレーティングサーバ３から取得するとともに、内容変更通知を取得する（ステップ７）。レーティング・アプリケーション２Ａ−２は、レーティングサーバ３から変更通知を取得すると、その通知内容を、メモリ５Ｍ内のリソースに書き込む（ステップ８）。
【００６７】
さらに、レーティング・アプリケーション２Ａ−２は、ウィジェット・アプリケーション２Ａ−１に対して、登録内容を含む変更通知を送る（ステップ９）。ウィジェット・アプリケーション２Ａ−１は、レーティング・アプリケーション２Ａ−２からの内容変更通知に応じて、その内容変更通知をウィジェットサーバ２に送る（ステップ１０）。ウィジェットサーバ２は、ＣＥ機器５（ウィジェット・アプリケーション２Ａ−１）からの内容変更通知に応じて、ウィジェットサーバ２内のウィジェットデータを変更する。このようにして、認証サーバ４内の登録内容と、ＣＥ機器５内の設定情報およびウィジェットサーバ２内の登録内容との間の不整合が解消される。
【００６８】
レーティング・アプリケーション２Ａ−２は、レーティングサーバ３から取得した通知内容に応じた対応を行う。例えば、通知内容が「フィルターサービス期限切れ」であった場合、レーティング・アプリケーション２Ａ−２は、フィルターサービス契約が切れているとみなし、メモリ５Ｍ内のフィルターサービスに関する情報（例えば、ＩＤ）を削除する。このとき、レーティング・アプリケーション２Ａ−２は、必要に応じて、ブラウザ５Ｕに、「フィルターサービス期限切れ」の情報を表示パネル５Ｈに表示することを要求する。また、例えば、通知内容が「フィルターサービス未加入（無効）」であった場合、レーティング・アプリケーション２Ａ−２は、他の機器（例えば、情報処理装置８）が認証サーバ４に対してフィルターサービスの解約手続きをすでに行ったとみなし、メモリ５Ｍ内のフィルターサービスに関する情報（例えば、ＩＤ）を削除する。このとき、レーティング・アプリケーション２Ａ−２は、必要に応じて、ブラウザ５Ｕに、「フィルターサービス未加入（無効）」の情報を表示パネル５Ｈに表示することを要求する。
【００６９】
［動作］
次に、ＣＥ機器５の動作の一例について説明する。
【００７０】
アンテナ端子５Ａに入力されたテレビ放送信号はデジタルチューナ５Ｂに供給される。デジタルチューナ５Ｂでは、テレビ放送信号を処理して、ユーザの選択チャネルに対応した所定のトランスポートストリームが出力され、当該所定のトランスポートストリームはデマルチプレクサ５Ｃに供給される。このデマルチプレクサ５Ｃでは、トランスポートストリームから、ユーザの選択チャネルに対応した、パーシャルＴＳが抽出され、当該パーシャルＴＳはＭＰＥＧデコーダ５Ｄに供給される。
【００７１】
ＭＰＥＧデコーダ５Ｄでは、映像データのＴＳパケットにより構成される映像ＰＥＳパケットに対してデコード処理が行われて映像データが得られる。この映像データは、映像信号処理回路５Ｅおよびグラフィック生成回路５Ｆにおいて、必要に応じてマルチ画面処理、グラフィックスデータの重畳処理等が行われた後に、パネル駆動回路５Ｇに供給される。その結果、表示パネル５Ｈには、ユーザの選択チャネルに対応した画像が表示される。
【００７２】
さらに、ＭＰＥＧデコーダ５Ｄでは、音声データのＴＳパケットにより構成された音声ＰＥＳパケットに対してデコード処理が行われて音声データが得られる。この音声データは、音声信号処理回路５ＩでＤ／Ａ変換等の処理が行われ、さらに、音声増幅回路５Ｊで増幅された後に、スピーカ５Ｋに供給される。その結果、スピーカ５Ｋからは、ユーザの選択チャネルに対応した音声が出力される。
【００７３】
また、クローズドネットワーク１００を介してＣＥ機器５のネットワーク端子５Ｑには、例えばＣＥ機器５の電源投入時などに、ＣＥ機器５がクローズドネットワーク１００を介して各種の情報を取得するための複数のソフトウェアと、各ソフトウェアのＵＩである複数のウィジェットが入力される。ネットワーク端子５Ｑに入力されたソフトウェアおよびウィジェットは、ネットワーク・インターフェース５Ｐを介してメモリ５Ｍに格納される。
【００７４】
例えば、クローズドネットワーク１００を介してＣＥ機器５のネットワーク端子５Ｑに、フィルタリング・ソフトウェア２Ａおよびフィルタリング・ウィジェット２Ｂが入力される。そして、これらフィルタリング・ソフトウェア２Ａおよびフィルタリング・ウィジェット２Ｂが、ネットワーク・インターフェース５Ｐを介してメモリ５Ｍに格納される。
【００７５】
その後は、ユーザによる操作によって、フィルターサービスの契約、解約がなされたり、フィルターサービスが提供される。また、ユーザによる操作に応じて、認証サーバ４、ＣＥ機器５およびウィジェットサーバ２のそれぞれの登録内容（設定内容）の整合が自動的になされる。
【００７６】
［効果］
次に、本実施の形態の画像表示システム１およびＣＥ機器５の効果について説明する。
【００７７】
本実施の形態では、コンテンツ７へのアクセスの可否の判断基準となるレーティングが、信頼のおけるクローズドネットワーク１００上のウィジェットサーバ２から提供された情報によって特定されたレーティングサーバ３から得られる。そのようにして得られたレーティングに基づいて、ＣＥ機器５からオープンネットワーク２００上のコンテンツ７へのアクセスの可否が決定され、その決定内容であるレーティング結果に応じた表示がブラウザ５Ｕによってなされる。これにより、ＣＥ機器５がプロキシサーバなどを介さず直接にオープンネットワーク２００上のコンテンツ７へアクセスする場合であっても、ＣＥ機器５がインターネット上の様々な脅威に曝されたり、インターネット上の有害情報にアクセスしたりする危険性が低くなる。その結果、安全かつ快適なインターネット接続を実現することができる。
【００７８】
＜変形例＞
以上、実施の形態を挙げて本発明を説明したが、本発明は実施の形態に限定されるものではなく、種々の変形が可能である。
【００７９】
例えば、上記実施の形態では、レーティングが、信頼のおけるクローズドネットワーク１００上のウィジェットサーバ２から提供された情報によって特定されたレーティングサーバ３から得られるようになっていた。しかし、レーティングは、例えば、図１０に示したように、オープンネットワーク２００上の信頼のおけるコンテンツサーバ６から提供された情報によって特定されたレーティングサーバ３から得られるようになっていてもよい。
【００８０】
（レーティング、図１０）
具体的には、まず、ウィジェット・アプリケーション２Ａ−１は、サーバ情報２Ｂ−２（レーティングサーバ３のＵＲＬ）をブラウザ５Ｕに要求する（ステップ１）。すると、ブラウザ５Ｕは、その要求に応じて、コンテンツサーバ６に対して、サーバ情報２Ｂ−２を要求し（ステップ２）、コンテンツサーバ６からサーバ情報２Ｂ−２を取得する（ステップ３）。ブラウザ５Ｕは、取得したサーバ情報２Ｂ−２をレーティング・アプリケーション２Ａ−２に提供する（ステップ４）。
【００８１】
その後、表示パネル５Ｈに表示された、あるアイコン画像がユーザによって選択される。すると、ブラウザ５Ｕは、そのアイコン画像に対応するオープンネットワーク２００上のコンテンツ７のレーティングをレーティング・アプリケーション２Ａ−２に要求する（ステップ５）。レーティング・アプリケーション２Ａ−２は、ブラウザ５Ｕ（コンテンツサーバ６）から取得した情報（レーティングサーバ３のＵＲＬ）によって特定されたレーティングサーバ３に対して、ブラウザ５Ｕからのレーティング要求に応じて、そのコンテンツ７のレーティングを要求する（ステップ６）。レーティング・アプリケーション２Ａ−２は、そのコンテンツ７のレーティングをレーティングサーバ３から取得すると（ステップ７）、取得したレーティングに基づいてそのコンテンツ７へのアクセスの可否を決定する。レーティング・アプリケーション２Ａ−２は、その決定結果であるレーティング結果をブラウザ５Ｕに提供する（ステップ８）。ブラウザ５Ｕは、そのレーティング結果に応じた対応（例えば表示）を行う。
【００８２】
また、上記実施の形態では、レーティング・アプリケーション２Ａ−２は、取得したレーティングに基づいて、そのコンテンツ７へのアクセスの可否を決定する機能を有していたが、そのような機能を有していなくてもよい。その場合には、レーティングサーバ３が、そのような機能を有してればよい。このとき、レーティング・アプリケーション２Ａ−２は、ブラウザ５Ｕから要求された、オープンネットワーク２００上のコンテンツ７のレーティングをレーティングサーバ３に要求し、アクセスの可否の決定内容であるレーティング結果をレーティングサーバ３から取得するようになっている。
【００８３】
また、上記実施の形態では、パネル駆動部５Ｇおよび表示パネル５ＨがＣＥ機器５に内蔵されている場合が例示されていたが、ＣＥ機器５とは別体で設けられるとともに、有線もしくは無線でＣＥ機器５と通信可能に構成されていてもよい。また、上記実施の形態では、ＣＥ機器５がテレビ受信機の機能を内蔵していたが、それを内蔵していなくてもよい。その場合に、テレビ受信機の機能がＣＥ機器５とは別体のデバイスに設けられるとともに、ＣＥ機器５がそのデバイスからテレビ放送信号に関する信号を受信してテレビ映像を表示するとともにテレビ音声を出力するようになっていてもよい。また、ＣＥ機器５が、テレビ放送信号に関する信号を受信する機能を持っていなくてもよく、例えば、ブルーレイプレーヤ、ブルーレイレコーダ、ＤＶＤプレーヤ、ＤＶＤレコーダ、ＨＤＤレコーダなどであってもよい。
【符号の説明】
【００８４】
１…画像表示システム、２…ウィジェットサーバ、２Ａ…フィルタリング・ソフトウェア、２Ａ−１…ウィジェット・アプリケーション、２Ａ−２…レーティング・アプリケーション、２Ｂ…フィルタリング・ウィジェット、２Ｂ−１…フィルタリング管理用コンテンツ、２Ｂ−２…サーバ情報、３…レーティングサーバ、４…認証サーバ、５…ＣＥ機器、５Ａ…アンテナ端子、５Ｂ…デジタルチューナ、５Ｃ…デマルチプレクサ、５Ｄ…ＭＰＥＧデコーダ、５Ｅ…映像信号処理回路、５Ｆ…グラフィック生成回路、５Ｇ…パネル駆動回路、５Ｈ…表示パネル、５Ｉ…音声信号処理回路、５Ｊ…音声増幅回路、５Ｋ…スピーカ、５Ｌ…内部バス、５Ｍ…メモリ、５Ｐ…ネットワーク・インターフェース、５Ｑ…ネットワーク端子、５Ｒ…ＭＰＥＧデコーダ、５Ｓ…リモコン受信回路、５Ｔ…リモコン送信器、５Ｕ…ブラウザ、６…コンテンツサーバ、７…コンテンツ、８…情報処理装置、１００…クローズドネットワーク、２００…オープンネットワーク。
【図１】
2011176484.tif 000003
【図２】
2011176484.tif 000004
【図３】
2011176484.tif 000005
【図４】
2011176484.tif 000006
【図５】
2011176484.tif 000007
【図６】
2011176484.tif 000008
【図７】
2011176484.tif 000009
【図８】
2011176484.tif 000010
【図９】
2011176484.tif 000011
【図１０】
2011176484.tif 000012